(57)【要約】【課題】表示領域への意図しない光の漏れを防ぐことができる電子機器を提供する。【解決手段】本発明の一形態に係る電子機器は、光源５２からの出射光を導光部材５１を用いて出射領域に導く光源システム５０と、光源システム５０を制御する制御部６０と、光源システム５０及び制御部６０が格納される筐体１０と、導光部材５１の光の出射方向に配置される被覆部材と、を備え、導光部材５１の外周側面が遮光部材１で覆われ、遮光部材１は、導光部材５１の光の出射方向に突出する突出部２を有し、突出部２の端部が被覆部材に略接触する。【選択図】図９
2013003498.tif 000002
【特許請求の範囲】
【請求項１】
光源からの出射光を導光部材を用いて出射領域に導く光源システムと、
前記光源システムを制御する制御部と、
前記光源システム及び前記制御部が格納される筐体と、
前記導光部材の光の出射方向に配置される被覆部材と、を備え、
前記導光部材の外周側面が遮光部材で覆われ、
前記遮光部材は、前記導光部材の光の出射方向に突出する突出部を有し、前記突出部の端部が前記被覆部材に略接触する電子機器。
【請求項２】
前記遮光部材は、弾性部材である請求項１に記載の電子機器。
【請求項３】
前記遮光部材は、帯状部材であって、前記導光部材の外周側面に接合されている請求項１又は２に記載の電子機器。
【請求項４】
前記突出部の長さは、前記導光部材と前記被覆部材との隙間より長い請求項１乃至３のいずれか１項に記載の電子機器。
【請求項５】
前記筐体から露出する表示部を備え、
前記光源システムは、前記表示部の光源システムとは別に備えられており、前記表示部の周辺に配置されている請求項１乃至４のいずれか１項に記載の電子機器。
【請求項６】
前記遮光部材は、反射部材としても機能する請求項１乃至５のいずれか１項に記載の電子機器。
【発明の詳細な説明】
【技術分野】
【０００１】
本発明は、電子機器に関する。
【背景技術】
【０００２】
電子機器として、携帯電話機、タブレット端末、デジタルカメラ、ノートパソコン、ＰＤＡ（Personal Digital Assistants）、ポータブルＤＶＤ（Digital Versatile Disk）プレーヤー、ポータブル音楽プレーヤー、ポータブルテレビ等がある。
【０００３】
このような電子機器に搭載される光源システムは、表示部のバックライトとして用いられたり、電子機器の動作内容を示す記号等を背面側からの光の照射によって浮かび上がらせるために用いられたりする。
【０００４】
ここで、特許文献１乃至５には、当該光源システムの導光部材の意図しない部分から光が出射しないように、導光部材の正面側の外周部分や外周側面を遮光部材で覆う技術が開示されている。
【先行技術文献】
【特許文献】
【０００５】
【特許文献１】特開２００３−５１６０号公報
【特許文献２】特開２００４−７１１６７号公報
【特許文献３】特開２００８−２６２７６９号公報
【特許文献４】特開２０１０−５０１００号公報
【特許文献５】特開平８−２０１８０４号公報
【発明の概要】
【発明が解決しようとする課題】
【０００６】
特許文献１乃至５の技術は、導光部材の意図しない部分から光が出射しない構成とされている。しかし、当該技術を電子機器に採用した場合、導光部材からの出射光が表示領域に漏れ出す可能性がある。
【０００７】
本発明の目的は、上述した課題を解決する電子機器を提供することにある。
【課題を解決するための手段】
【０００８】
本発明の一形態に係る電子機器は、光源からの出射光を導光部材を用いて出射領域に導く光源システムと、前記光源システムを制御する制御部と、前記光源システム及び前記制御部が格納される筐体と、前記導光部材の光の出射方向に配置される被覆部材と、を備え、前記導光部材の外周側面が遮光部材で覆われ、前記遮光部材は、前記導光部材の光の出射方向に突出する突出部を有し、前記突出部の端部が前記被覆部材に略接触する。
【発明の効果】
【０００９】
本発明によれば、表示領域への意図しない光の漏れを防ぐことができる電子機器を提供することができる。
【図面の簡単な説明】
【００１０】
【図１】本発明の実施の形態に係る電子機器を概略的に示す分解斜視図である。
【図２】本発明の実施の形態に係る電子機器を概略的に示す正面図である。
【図３】図２のIII−III矢視断面図である。
【図４】図２のIV−IV矢視断面図である。
【図５】図３のＡ１部分を概略的に示す拡大図である。
【図６】図４のＡ２部分を概略的に示す拡大図である。
【図７】本発明の実施の形態に係る電子機器に用いる、導光部材を示す正面図である。
【図８】図７のVIII−VIII矢視断面図である。
【図９】遮光部材と被覆部材であるタッチパネルとの配置関係を示す図である。
【発明を実施するための形態】
【００１１】
本発明の実施の形態に係る電子機器について説明する。但し、本発明が以下の実施の形態に限定される訳ではない。また、説明を明確にするため、以下の記載及び図面は、適宜、簡略化されている。
【００１２】
本実施の形態に係る電子機器は携帯電話機として機能し、図１乃至６に示すように、筐体１０、表示部２０、被覆部材３０、タッチパネル４０、第１の光源システム５０、制御部６０、スピーカ７０、マイクロフォン８０等を備えている。
【００１３】
筐体１０は、表示部２０、タッチパネル４０、第１の光源システム５０、制御部６０、スピーカ７０、マイクロフォン８０等を収容する。筐体１０は、正面側の筐体１１、背面側の筐体１２を備えている。筐体１１は、図１及び２等に示すように、少なくとも表示領域Ｒが切り欠かれており、この切り欠かれた領域から表示部２０やタッチパネル４０が露出している。筐体１１と１２とは、図３及び４に示すように、例えば水や粉塵等の侵入を防止するためにパッキン等を介してボルトや嵌合構造等で接合される。
【００１４】
表示部２０は、一般的な液晶ディスプレイ装置である。すなわち、表示部２０は、液晶パネル２１、図示を省略した第２の光源システム等を備えている。第２の光源システムは、液晶パネル２１の背面側に配置され、液晶パネル２１のバックライトとして機能する。つまり、第２の光源システムは、導光部材や光源等を備えている。これらの液晶パネル２１や光源は、制御部６０によって制御される。
【００１５】
被覆部材３０は、液晶パネル２１の正面側に配置されている。被覆部材３０は、ガラスや樹脂等の光を透過する平板部材であり、表示部２０を覆うのに十分な平面領域を有する。つまり、被覆部材３０は、表示部２０やタッチパネル４０等の被覆部材として機能する。
【００１６】
タッチパネル４０としては、一般的なタッチパネルを用いることができ、静電容量方式のタッチパネルを好適に用いることができる。例えばタッチパネル４０は、図５に示すように、ガラスや樹脂等の光を透過する部材から成る被覆部材４１、導電膜が形成された光透過性基板４２等を備え、積層されている。このようなタッチパネル４０は、例えばユーザが指を接近させた領域の座標を示す入力情報を制御部６０に出力する。
【００１７】
タッチパネル４０は、液晶パネル２１と被覆部材３０との間に配置されている。すなわち、背面側から正面側に向かって、表示部２０、タッチパネル４０、被覆部材３０の順で積層されている。ここで、図示例のタッチパネル４０は、被覆部材３０と同様に表示部２０を覆うのに十分な平面領域を有し、特に第１の光源システム５０を覆うように後面側に延在している。つまり、当該タッチパネル４０は、表示部２０等の被覆部材としての機能も担う。
【００１８】
タッチパネル４０は、正面から見て表示領域Ｒに対応する領域の外周部分が遮光部材９０で覆われている。例えば、被覆部材４１の外周部分の下面に光の透過を遮る塗料を遮光部材９０として塗布することで、タッチパネル４０の外周部分を遮光部材９０で覆う。但し、遮光部材９０は、光透過性基板４２の外周部分の正面に塗布しても良く、被覆部材４１の背面と光透過性基板４２の正面との両面に塗布しても良い。また、被覆部材３０における表示領域Ｒに対応する領域の外周部分が遮光部材９０で覆われても良い。また、遮光部材９０はこの限りでなく、シート状に形成され、タッチパネル４０に接着する構成等でも良い。
【００１９】
遮光部材９０は、電子機器の動作内容を示す記号（文字等を含む）等が背面側からの光の照射によって浮かび上がるように、部分的に省略されている。図示例では、遮光部材９０の後面側の領域に、当該記号に対応する抜き部分９１が形成されている。
【００２０】
第１の光源システム５０は、上述の抜き部分９１の背面側に配置されている。第１の光源システム５０は、図３及び５に示すように、導光部材５１、光源５２等を備えている。詳細には、導光部材５１は、表示部２０の近傍に配置されており、表示部２０の後面側であって、且つ遮光部材９０における後面側の領域内に収まるように形成されている。図示例の導光部材５１は、長尺形状に形成されている。この導光部材５１は、長手方向が電子機器の左右方向に配置され、背面側の筐体１２の台座１２１上に載置されている。
【００２１】
光源５２としては、例えばＬＥＤ（Light Emitting Diode）等を用いることができる。光源５２は、図３及び５に示すように、導光部材５１の短尺側の側面近傍に配置されている。
【００２２】
制御部６０は、図示を省略した記憶部から読み出したプログラムに基づいて、通信を実現したり、通信によって受信又は当該記憶部から読み出した情報を表示部２０に表示したり、第１の光源システム５０の光源５２を制御したり、する等のために機能する。つまり、制御部６０は、送信側から受信した情報を復号化してスピーカ７０や表示部２０に出力する。また、制御部６０は、マイクロフォン８０から入力される音声情報を符号化して例えば公衆網に出力する。さらに制御部６０は、図示を省略した記憶部から情報を読み出して表示部２０に出力し、タッチパネル４０を介して入力される入力情報に基づいて動作する。
【００２３】
このような電子機器は、第１の光源システム５０において、光源５２からの出射光が導光部材５１を介して電子機器の正面方向に導かれ、遮光部材９０の抜き部分９１から出射する。このとき、図６に示すように、第１の光源システム５０の導光部材５１の外周側面から光が漏れ出し、当該光が遮光部材９０の内方領域に漏れ出す場合がある。つまり、第１の光源システム５０からの出射光が表示領域（図２のＡ３部分）に漏れ出す場合がある。
【００２４】
そこで、本実施の形態に係る第１の光源システム５０の導光部材５１の外周側面は、図７及び８に示すように、遮光部材１で覆われている。そして、当該遮光部材１は導光部材５１の光の出射方向、即ち正面側に突出する突出部２を有する。しかも、遮光部材１の突出部２の端部は、図９に示すように、タッチパネル４０の背面に略接触している。
【００２５】
このように、導光部材５１の外周側面、即ち光源５２が配置される側の側面を除く、３側面（本実施の形態では前面、右側面、後面）が遮光部材１で覆われているので、導光部材５１の外周側面から光が漏れ出すことがなく、光を電子機器の正面方向に良好に導くことができる。しかも、遮光部材１の突出部２の端部がタッチパネル４０の背面に略接触しているので、電子機器の正面方向に導かれた光が、タッチパネル４０と導光部材５１との隙間から漏れ出すことを防ぐことができる。そのため、表示品質の優れた電子機器となる。
【００２６】
ここで、遮光部材１は、光を遮ることができ、且つ突出部２を形成することができれば、材質は特に限定しないが、ゴム等の弾性部材が帯状に形成されていることが好ましい。当該弾性部材を図７に示すように遮光部材１の外周側面に巻き付けて接着剤等で接合するだけで、簡単に導光部材５１の外周側面を遮光部材１で覆うことができる。しかも、遮光部材１を弾性部材で構成すると、タッチパネル４０の背面と導光部材５１の正面との隙間が製造誤差によって変化しても、当該誤差を良好に吸収することができる。そのため、突出部２の高さＴ１は、タッチパネル４０の背面と導光部材５１の正面との隙間Ｔ２より高く形成されていることが好ましい。これにより、突出部２の端部をより確実にタッチパネル４０の背面に接触させることができる。
【００２７】
また、導光部材５１の背面も遮光部材１で覆うことが好ましい。これにより、導光部材５１の背面からの光の漏れも防ぐことができる。
【００２８】
本発明は上記実施の形態に限られたものではなく、趣旨を逸脱しない範囲で適宜変更することが可能である。
【００２９】
上記実施の形態では、遮光部材１の突出部２の端部をタッチパネル４０の背面に略接触させているが、被覆部材３０の背面に略接触させても良い。要するに、遮光部材１の突出部２の端部を第１の光源システム５０の正面側に配置される部材と略接触させることで、光が意図せずに表示領域に漏れ出すことを防ぐことができれば良い。
【００３０】
上記実施の形態では、電子機器として携帯電話機の例を示したが、この限りでない。すなわち、電子機器として、タブレット端末、デジタルカメラ、ノートパソコン、ＰＤＡ（Personal Digital Assistants）、ポータブルＤＶＤ（Digital Versatile Disk）プレーヤー、ポータブル音楽プレーヤー、ポータブルテレビ等を用いても、略同様に実施することができる。
【００３１】
上記実施の形態では、第１の光源システム５０の導光部材５１の外周側面を遮光部材１で覆ったが、第２の光源システムの導光部材の外周側面を遮光部材で覆っても良い。勿論、両方の導光部材の外周側面を遮光部材で覆っても良い。
【００３２】
上記実施の形態では、導光部材５１の正面、右側面、後面を遮光部材１で覆ったが、光源５２の配置位置や、第１の光源システム５０の配置位置によって、遮光部材１で覆われる外周側面は適宜変更される。
【００３３】
上記実施の形態では、遮光部材１として光を遮る部材を用いたが、反射する機能も備えた部材を用いると、光量減少を最小限に抑えることができる。
【符号の説明】
【００３４】
１  遮光部材
２  遮光部材の突出部
１０  筐体
１１  正面側の筐体
１２  背面側の筐体、１２１  台座
２０  表示部、２１  液晶パネル
３０  被覆部材
４０  タッチパネル、４１  被覆部材、４２  ガラス基板
５０  第１の光源システム、５１  導光部材、５２  光源
６０  制御部
７０  スピーカ
８０  マイクロフォン
９０  遮光部材
９１  抜き部分
【図１】
2013003498.tif 000003
【図２】
2013003498.tif 000004
【図３】
2013003498.tif 000005
【図４】
2013003498.tif 000006
【図５】
2013003498.tif 000007
【図６】
2013003498.tif 000008
【図７】
2013003498.tif 000009
【図８】
2013003498.tif 000010
【図９】
2013003498.tif 000011